(57)【要約】      （修正有）【課題】前後方向の長さ調整が可能で、平坦部の陳列面積を大きく採れ、冷ケース用として好適な商品陳列具を提供する。【解決手段】設置面の前方側に配置される前方部材１と、設置面の後方側に配置され、前方部材１と一部を重ね合わせて連結する後方部材２とを有する前後方向の長さ調整が可能な商品陳列具１０であって、前方部材１と後方部材２の連結は、両部材のいずれか一方の基板に前後方向に所定のピッチで多数形成された貫通孔１３の一部又は全部と、両部材のいずれか他方の基板の裏面に前後方向に所定のピッチで多数形成された係合片の一部又は全部との係止である。【選択図】図３
0003164643.tif 000002
【実用新案登録請求の範囲】
【請求項１】
設置面の前方側に配置される前方部材と、設置面の後方側に配置され、該前方部材と一部を重ね合わせて連結する後方部材とを有する前後方向の長さ調整が可能な商品陳列具であって、
該前方部材は、商品が載置される平板状の前方基板と、該前方基板の前端に位置し左右方向に延在する前後２列の前方横溝とを有し、
該後方部材は、商品が載置される平板状の後方基板と、該後方基板の後端に位置し左右方向に延在する後方突起部を有し、該後方基板の前後方向の長さは、該後方突起部の前後方向の長さの４倍以上であり、
該後方突起部には、左右方向に所定のピッチで多数形成される縦溝と、該縦溝の後方側に左右方向に延在する後方横溝が形成され、
該前方部材と該後方部材の連結は、両部材のいずれか一方の基板に前後方向に所定のピッチで多数形成された貫通孔の一部又は全部と、両部材のいずれか他方の基板の裏面に前後方向に所定のピッチで多数形成された係合片の一部又は全部との係止であることを特徴とする商品陳列具。
【請求項２】
板状の仕切り本体部と、該仕切り本体部の前端に形成される前方係止片とを有する商品仕切り板を、該仕切り本体部の後方端を該後方縦溝に係止し、該前方係止片を該前方横溝の中、内側の前方横溝に係止して設置することを特徴とする請求項１記載の商品陳列具。
【請求項３】
板状の商品転落防止板を、該後方横溝に嵌め込んで設置することを特徴とする請求項１記載の商品陳列具。
【請求項４】
板状の商品転落防止板を、該前方横溝の中、最前列の前方横溝に係止して設置することを特徴とする請求項１記載の商品陳列具。
【請求項５】
該設置面が、冷ケース内の棚面であることを特徴とする請求項１記載の商品陳列具。
【考案の詳細な説明】
【技術分野】
【０００１】
本考案は、スーパーや百貨店等、特に冷ケース内において、商品を陳列する際に好適な商品陳列具に関するものである。
【背景技術】
【０００２】
近年、スーパー、百貨店、専門店、コンビニエンスストアー等の店内で例えば青果物などの陳列に使用される商品陳列台として、設置面に置かれる略板状物であって、前後方向に所定のピッチで横溝を上面に複数形成したベース陳列板と、前面が前方下り傾斜の陳列面を有し、前方部裏面から下方に延びる前方係合片を有し、後方陳列面を構成する補助陳列台とを備え、該補助陳列台の前方係合片を、該ベース陳列板の複数の横溝のいずれかに係合させ、該ベース陳列面の上面と該補助陳列台の凹面形状の陳列面で、商品陳列台の陳列面を形成する商品陳列台が知られている（実用新案登録第３１２０９０１号公報）。この商品陳列台は、比較的小さな陳列容積であっても種々の陳列面を演出することができると共に、商品の陳列安定性に優れるという効果があり、極めて有用な陳列台である。
【先行技術文献】
【特許文献】
【０００３】
【特許文献１】実用新案登録第３１２０７８２号
【考案の概要】
【考案が解決しようとする課題】
【０００４】
しかしながら、実用新案登録第３１２０９０１号公報の商品陳列台は、補助陳列台が大き過ぎて、平坦部の陳列面積が大きく採れず、前後方向の長さが制限される冷ケース用としては不適であるという問題があった。
【０００５】
従って、本考案の目的は、前後方向の長さ調整が可能で、平坦部の陳列面積を大きく採れ、冷ケース用として好適な商品陳列具を提供することにある。
【課題を解決するための手段】
【０００６】
すなわち、本考案は、上記課題を解決するものであって、設置面の前方側に配置される前方部材と、設置面の後方側に配置され、該前方部材と一部を重ね合わせて連結する後方部材とを有する前後方向の長さ調整が可能な商品陳列具であって、該前方部材は、商品が載置される平板状の前方基板と、該前方基板の前端に位置し左右方向に延在する前後２列の前方横溝とを有し、該後方部材は、商品が載置される平板状の後方基板と、該後方基板の後端に位置し左右方向に延在する後方突起部を有し、該後方基板の前後方向の長さは、該後方突起部の前後方向の長さの４倍以上であり、該後方突起部には、左右方向に所定のピッチで多数形成される縦溝と、該縦溝の後方側に左右方向に延在する後方横溝が形成され、該前方部材と該後方部材の連結は、両部材のいずれか一方の基板に前後方向に所定のピッチで多数形成された貫通孔の一部又は全部と、両部材のいずれか他方の基板の裏面に前後方向に所定のピッチで多数形成された係合片の一部又は全部との係止であることを特徴とする商品陳列具を提供するものである。
【考案の効果】
【０００７】
本考案によれば、前後方向の長さ調整が可能で、実質的な平坦部の陳列面積を大きく採れ、冷ケース用として好適な商品陳列具を提供することができる。
【図面の簡単な説明】
【０００８】
【図１】本考案の実施の形態における商品陳列具の斜視図である。
【図２】図１の商品陳列具を後ろから見た斜視図である。
【図３】図１の商品陳列具の分解斜視図である。
【図４】図３の商品陳列具を裏側から見た分解斜視図である。
【図５】商品仕切り板等の設置方法を説明する側面図である。
【図６】本考案の他の実施の形態における商品陳列具の側面図である。
【図７】本考案の商品陳列具の使用状態図である。
【考案を実施するための形態】
【０００９】
次に、本考案の実施の形態における商品陳列具を図１〜図４を参照して説明する。図１中、符号Ｆは「前方」を符号「Ｂ」は後方を意味する。本明細書中、前後方向は、顧客側（図１中、符号Ｆ側）から見た方向を言う。商品陳列具１０は、設置面の前方側に配置される前方部材１と、設置面の後方側に配置され、前方部材１と一部を重ね合わせて連結する後方部材２とを有し、前後方向の長さ調整が可能なものである。
【００１０】
前方部材１は、商品が載置される薄厚の平板状の前方基板１１と、前方基板１１の前端に位置し左右方向に延在する前後２列の前方横溝１４、１５とを有する。また、前方基板１１には、前後方向に所定のピッチで多数の貫通孔１３が形成されている（図３）。貫通孔１３は、後方部材２に形成された係止片２７が係止するものであり、本例では左右方向に比較的長く延びる長孔であり、前後方向に等ピッチで６列、且つ１列当たり左右方向に離間して３つ形成されている（図４）。また、前方基板１１の表面には、前後方向に所定のピッチで多数の凹溝１３ａが形成されている。貫通孔１３と凹溝１３ａは、前後方向のピッチが同じであるため、凹溝１３ａ内に貫通孔１３が形成されている（図３）。凹溝１３ａは、後述する後方部材２の係止片２７が貫通孔１３に嵌るガイドの役目をするものである。すなわち、前方部材１と後方部材２を連結する際、前方部材１の凹溝１３ａに後方部材２の係止片２７を概ね係止し、左右方向に微調整することで、係止片２７と貫通孔１３を係合させる。また、凹溝１３ａは、陳列商品の滑り止めであり、公知の陳列補助部材の係止溝となるものである。
【００１１】
前方基板１１は、四角形の板状物であり、前後方向の長さは、商品陳列具１０が設置される設置面の前後方向長さにより適宜決定され、例えば設置面の前後方向の半分よりやや大である。また、貫通孔１３及び凹溝１３ａの前後方向の設置数（列数）は、６個に限定されず、例えば５個、７〜１２個の範囲で適宜決定される。貫通孔１３及び凹溝１３ａの前後方向の設置数（列数）が多いほど、商品陳列具１０の前後方向長さの微細な調節が可能となる。
【００１２】
前方基板１１の左右の側端の一方には先端がＵ字形状の係合雄部１６が、他方には上下方向に貫通する孔である係合雌部１７が形成されており、左右方向における他の前方基板１１との連結を可能としている。本考案の商品陳列具において、係合雄部１６及び係合雌部１７は任意の構成要素である。
【００１３】
前方基板１１の前端に位置する前後２列の前方横溝１４、１５中、最前列の横溝１４は、商品転落防止板４０が嵌る溝であり、前方横溝１４、１５中、最前列の横溝１４の内側にある横溝１５は、商品仕切り板の前方係止片２２が嵌る溝である（図５参照）。前方基板１１の前端に位置する前後２列の前方横溝１４、１５の高さは、０．８〜３ｍｍと低くすることで、正面から商品を見易くすると共に、商品の出し入れの障害とならないようにしている。前方横溝１４、１５は、左右方向に延在する外側壁、中側壁及び内側壁により形成され（図５参照）、外側壁と中側壁とで前方横溝１４を形成し、中側壁と内側壁とで前方横溝１５を形成する。
【００１４】
また、任意の構成要素として、前方横溝１５を形成する内側の壁面には、左右方向に所定のピッチで多数の縦溝２５ｂが形成されている。縦溝２５ｂは、後方部材２に形成される縦溝２５ａに対応する位置に形成されるものであり、商品仕切り板２０以外の起立状の板状仕切り板が嵌る溝である。
【００１５】
後方部材２は、商品が載置される薄厚の平板状の後方基板２１と、後方基板２１の後端に位置し左右方向に延在する後方突起部２２を有する。後方基板２１は、四角形の板状物であり、前後方向の長さは、商品陳列具１０が設置される設置面の前後方向長さにより適宜決定され、例えば設置面の前後方向の半分又はそれよりやや大である。また、後方基板２１の前方部は、前端に向けて漸次薄肉とすることで、前方部材１の上に後方部材２の薄肉部が重なることで極力段差が生じないようにしている。
【００１６】
後方基板２１の裏面には、前後方向に所定のピッチで下方に突出する係合片２７が多数形成されている。係合片２７は、前方部材１に形成された貫通孔１３が係止するものであり、貫通孔１３に対応する形状の長尺状の突起であり、前後方向に等ピッチで５列、且つ１列当たり左右方向に離間して３つ形成されている。なお、後方部材２の表面に表われる貫通孔２４は、係止片２７を金型成型で製作する際、表われるものである。また、貫通孔２４は、不図示の商品陳列補助部材の係止片を嵌めて固定することもできる。
【００１７】
係止片２７の形状は、下方の先端が僅かに後方に屈曲する鉤形状とすることが、前方部材１と後方部材２の係合が外れ難いものとなる点で好ましい。
【００１８】
また、係止片２７の前後方向の設置数（列数）は、５個に限定されず、例えば４個、６〜１０個の範囲で適宜決定される。係止片２７の前後方向の設置数（列数）が多いほど、商品陳列具１０の前後方向長さの微細な調節が可能となる。
【００１９】
後方突起部２２は、後方基板２１の後端から上方に突出するものであり、左右方向に所定のピッチで多数形成される縦溝２５ａと、縦溝２５ａの後方側に左右方向に延在する後方横溝２９が形成されている。縦溝２５ａは商品仕切り板２０の後方端が嵌るものであり、後方横溝２９は商品転落防止板３０が嵌るものである。後方突起部２２の高さは、前方横溝１４、１５を構成する壁部の高さより高い。すなわち、商品陳列具１０は、背の高い商品に対応した背の高い商品仕切り板を確実の設置するため、後方突起部２２を、例えば５ｃｍ以上と少し高くしている。
【００２０】
縦溝２５ａは、商品仕切り板２０が上方から嵌る形状となっており、後方突起部２２の中央から前方部分にかけて形成される。これにより、商品仕切り板２０の設置が可能となり、且つ後方部分に後方横溝２９を形成することができる。縦溝２５ａの左右方向におけるピッチは、前方部材１の縦溝２５ｂのピッチと同じである。後方横溝２９は、後方突起部２２の縦溝２５ａの後方側に形成される。後方横溝２９は、左右方向に延在する２つの外側壁と内側壁と底部間に形成される。
【００２１】
後方基板２１の前後方向の長さ（Ｌ２）は、後方突起部２２の前後方向の長さ（Ｌ１）の４倍以上、好ましくは５倍〜６倍である。これにより、後方基板２１の平坦部が広くとれ、冷ケースの棚面等のように、限られたスペースの中で、陳列面積を大とすることができる。後方突起部２２の前後方向の長さ（Ｌ１）における内側端は、後方基板２１の表面形状である平坦面の端を言う。
【００２２】
次に、前方基板１と後方基板２の重ね合わせによる係止方法について、図５を参照して説明する。図５は前後方向の長さを最大とする係止方法であり、前方基板１の最後列の貫通孔１３ａと後方基板２の最前列の係止片２７ｅを係止したものである。また、前方基板１の最後列の貫通孔１３ａと後方基板２の最前列から２番目の係止片２７ｄを係止し、前方基板１の最後列から２番目の貫通孔１３ｂと後方基板２の最前列の係止片２７ｅを係止すれば、前後方向の長さを２番目に大とすることができる。また、前後方向の長さを最小とする係止は、前方基板１の貫通孔１３ｆと後方基板２の係止片２７ｅ、貫通孔１３ｅと係止片２７ｄ、貫通孔１３ｄと係止片２７ｃ、貫通孔１３ｃと係止片２７ｂ、貫通孔１３ｂと係止片２７ａのそれぞれの係止である。このように、本例の商品陳列具１０は、前後方向の長さが３５０〜６００ｍｍの範囲において異なる６つの陳列形態とすることができる。なお、前後方向の長さは３０〜６０ｍｍピッチ、好適には５０ｍｍピッチで変更できる。前後方向長さが５０ｍｍピッチで変更できる形態においては、前後方向の棚寸法が５０ｍｍピッチで異なる冷ケースに都合よく適用できる。
【００２３】
商品陳列具１０は、商品仕切り板２０を設置すれば、サイズや種類の異なる商品を区画できる。また、商品転落防止板３０、４０を設置すれば、陳列商品が前方や後方から転落することを防止できる。商品仕切り板２０は、例えば図５に示すように、自己起立性のないものであり、起立する薄板状本体部２１１及び薄板状本体部２１１の先端に形成される前方係止部２２１からなる。図５中、符号２３１は、薄板状本体部の長さを決める切断用縦溝であり、商品陳列具１０の前後方向の長さに相当する位置の切断用縦溝を決定し折り曲げることで切断して使用する。これにより、商品陳列具１０の陳列面は商品仕切り板により隙間なく左右に区画される。
【００２４】
図７は、冷ケース５０内の陳列棚６０に、２つの商品陳列具１０を左右方向に連結して並べて設置すると共に、商品仕切り板２０を適宜離間して設置したものである。なお、商品陳列具１０の前後方向の長さは、設置面である陳列棚６０の前後方向の長さに相当するもので、前方部材１と後方部材２を重ね代を調節したものである。
【００２５】
本考案の商品陳列具は、前記実施の形態に限定されず、種々の変形をとることができる。例えば、後方部材の上に前方部材の一部又は全部を重ねて設置してもよい。この場合、貫通孔は後方部材の後方基板に形成し、係止片は前方部材の前方基板に形成することになる。また、貫通孔の形状及び係止片の形状は、上記の形態に限定されず、種々のものが適用できる。
【産業上の利用可能性】
【００２６】
本考案によれば、冷ケースの陳列棚の大きさが異なるものであっても、前方部材と後方部材の重ね代を調節して対応できる。また、背の高い商品仕切り板が設置できるため、嵩高の商品の陳列に好適である。また、商品が陳列される平坦面の面積を大きくできる。
【符号の説明】
【００２７】
１    前方部材
２    後方部材
１０    商品陳列具
１１    前方基板
１２    前方横溝
１３    貫通孔
１４    最前列の前方横溝
１５    内側の前方横溝
２０    商品仕切り板
２１    後方基板
２２    後方突起部
２７    係止片
３０、４０  商品転落防止板
５０    冷ケース
【図１】
0003164643.tif 000003
【図２】
0003164643.tif 000004
【図３】
0003164643.tif 000005
【図４】
0003164643.tif 000006
【図５】
0003164643.tif 000007
【図６】
0003164643.tif 000008
【図７】
0003164643.tif 000009